(57)【要約】対物レンズ駆動装置は、対物レンズと、レンズホルダと、フォーカシング方向とトラッキング方向とに沿って対物レンズが移動自在になるようにレンズホルダを支持する複数個の支持部材と、レンズホルダを駆動する駆動手段と、各支持部材を保持するように形成された粘弾性部材が設けられた固定部材とを具備しており、各支持部材は、固定部材に設けられた粘弾性部材とレンズホルダとに接続するように線状に形成された線状部と、駆動手段によってレンズホルダが駆動されるときに発生する各支持部材の共振を低減するように各線状部の途中から分岐して形成された少なくとも１つのアーム部とを含んでいる。
2003098614.tif 000002
【特許請求の範囲】
【請求項１】
記録媒体上に光学的に情報を記録または再生するように前記記録媒体上に光を集束させるために設けられた対物レンズと、
前記対物レンズを保持するレンズホルダと、
前記記録媒体の表面に垂直なフォーカシング方向と前記フォーカシング方向に垂直なトラッキング方向とに沿って前記対物レンズが移動自在になるように前記レンズホルダを支持する複数個の支持部材と、
前記フォーカシング方向と前記トラッキング方向とに沿って前記レンズホルダを駆動する駆動手段と、
各支持部材を保持するように形成された粘弾性部材が設けられた固定部材とを具備しており、
各支持部材は、前記固定部材に設けられた前記粘弾性部材と前記レンズホルダとに接続するように線状に形成された線状部と、
前記駆動手段によって前記レンズホルダが駆動されるときに発生する各支持部材の共振を低減するように各線状部の途中から分岐して形成された少なくとも１つのアーム部とを含んでいることを特徴とする対物レンズ駆動装置。
【請求項２】
前記アーム部は、前記固定部材に設けられた前記粘弾性部材に接続するように形成されている、請求の範囲１記載の対物レンズ駆動装置。
【請求項３】
前記固定部材を固定するために設けられたベースをさらに具備しており、
前記アーム部は、前記ベースに設けられたベース粘弾性部材に接続するように形成されている、請求の範囲１記載の対物レンズ駆動装置。
【請求項４】
前記アーム部は、前記フォーカシング方向に対して垂直な面に沿って形成されている、請求の範囲１記載の対物レンズ駆動装置。
【請求項５】
前記アーム部は、前記トラッキング方向に対して垂直な面に沿って形成されている、請求の範囲１記載の対物レンズ駆動装置。
【請求項６】
前記少なくとも１つのアーム部は、２個のアーム部であり、
前記２個のアーム部の一方は、前記フォーカシング方向に対して垂直な面に沿って形成されており、
前記２個のアーム部の他方は、前記トラッキング方向に対して垂直な面に沿って形成されている、請求の範囲１記載の対物レンズ駆動装置。
【請求項７】
前記アーム部は、前記支持部材の固有共振における腹部の近傍から分岐するように形成されている、請求の範囲１記載の対物レンズ駆動装置。
【請求項８】
前記アーム部が前記線状部から分岐する位置と前記線状部の一端との間の距離Ｂは、前記線状部の全長Ｌの５分の１以上５分の４以下になっている、請求の範囲１記載の対物レンズ駆動装置。
【請求項９】
前記アーム部が前記線状部から分岐する位置と前記線状部の一端との間の距離Ｂは、前記線状部の全長Ｌの５分の１以上２分の１以下になっている、請求の範囲１記載の対物レンズ駆動装置。
【請求項１０】
記録媒体上に光学的に情報を記録または再生するように前記記録媒体上に光を集束させるために設けられた対物レンズと、
前記対物レンズを保持するレンズホルダと、
前記記録媒体の表面に垂直なフォーカシング方向と前記フォーカシング方向に垂直なトラッキング方向とに沿って前記対物レンズが移動自在になるように前記レンズホルダを支持する複数個の支持部材と、
前記フォーカシング方向と前記トラッキング方向とに沿って前記レンズホルダを駆動する駆動手段と、
各支持部材を保持するために設けられた固定部材と、
前記駆動手段によって前記レンズホルダが駆動されるときに発生する各支持部材の共振を低減するように各支持部材とそれぞれ接触するように前記固定部材に設けられた粘弾性部材とを具備することを特徴とする対物レンズ駆動装置。
【発明の詳細な説明】
技術分野
本発明は、記録媒体に光学的に情報を記録もしくは再生する装置に設けられる対物レンズ駆動装置に関する。
背景技術
対物レンズ駆動装置は、円盤状記録媒体（以下、ディスクと称する）の反りに基づく上下運動によるフォーカシングずれ、およびディスクの偏心等によるトラッキングずれを補正するために、記録媒体面に対して垂直な方向の光軸方向（フォーカシング方向）および記録媒体面に対して平行な方向の半径方向（トラッキング方向）の２軸に沿って対物レンズを駆動し、光学的に情報をディスクに記録あるいは再生する。
以下図面を参照しながら、上記した従来の対物レンズ駆動装置の一例を説明する。図９は、従来の対物レンズ駆動装置９０の構成を示す斜視図である。対物レンズ駆動装置９０は、レンズホルダ５２を備えている。レンズホルダ５２には、対物レンズ５１とフォーカシングコイル５３とトラッキングコイル５４とが固定されており、これらのレンズホルダ５２と対物レンズ５１とフォーカシングコイル５３とトラッキングコイル５４とは、可動部を構成する。
フォーカシングコイル５３は、図９に示す対物レンズ５１の光軸方向に沿って構成された巻回軸を有している。トラッキングコイル５４は、図９に示す光軸方向およびディスクの半径方向に垂直な方向である周方向に沿って構成された巻回軸を有している。
対物レンズ駆動装置９０には、りん青銅の薄板などの弾性体によって形成された４本の支持部材５８、５９、６０および６１が設けられている。各支持部材５８、５９、６０および６１の一端はレンズホルダ５２に結合されており、他端は固定部材５５に固定されている。
このようにレンズホルダ５２は支持部材５８、５９、６０および６１によって片持ち支持されているので、支持部材５８、５９、６０および６１の弾性変形の範囲内において自由に動くことができる。
ベース６２に設けられたヨーク部６２ａには、マグネット５６および５７が固定されている。マグネット５６および５７は異極対向に配置され、マグネット５６および５７間の空隙には、フォーカシングコイル５３とトラッキングコイル５４とが配置され、それぞれフォーカシング駆動手段とトラッキング駆動手段とを構成している。
固定部材５５には粘弾性部材６３が保持されており、支持部材５８、５９、６０および６１の固定部材５５側の端部付近が粘弾性部材６３によって覆われている。
以上のように構成された対物レンズ駆動装置９０の動作を説明する。ディスクの反りに基づく上下運動によるフォーカシングずれおよび偏心等によるトラッキングずれを補正するために、対物レンズ５１を光軸方向および半径方向の２軸に沿って駆動する対物レンズ駆動装置９０の動作を述べる。
図９を参照すると、マグネット５６および５７によりその間の空隙に周方向に沿って磁束が発生し、フォーカシングコイル５３に電流を流すとこの磁束と交差するフォーカシングコイル５３に光軸方向に沿って力が作用する。フォーカシングコイル５３に作用する力によって支持部材５８〜６１がたわむことにより可動部が略光軸方向に沿って並進運動する。
同様に、トラッキングコイル５４に電流を流すと磁束と交差するトラッキングコイル５４に半径方向に沿った力が作用する。トラッキングコイル５４に作用する力によって支持部材５８、５９、６０および６１がたわむことにより、レンズホルダ５２と対物レンズ５１とフォーカシングコイル５３とトラッキングコイル５４とによって構成される可動部が略半径方向に沿って並進運動する。
このように対物レンズ駆動装置９０は弾性体によって形成された支持部材５８、５９、６０および６１の先端に可動部が固定され、片持ち支持された構成であるため、フォーカシング駆動手段およびトラッキング駆動手段によって可動部が駆動されるときに様々な共振が発生する。
この共振を低減させるために固定部材５５には粘弾性部材６３が保持されており、支持部材５８、５９、６０および６１の固定部材５５側の端部の近傍をこの粘弾性部材６３に接触させ、共振時における支持部材５８、５９、６０および６１の振動が粘弾性部材６３に伝わり、粘弾性部材６３の振動減衰作用によって共振を低減させている。
しかし、半径方向（トラッキング方向）に沿って可動部が駆動される時の変位周波数特性においては、図１０に示すように、可動部の振動周波数３キロヘルツ（ｋＨｚ）〜４キロヘルツ（ｋＨｚ）付近において不要共振が発生する。
この共振時における支持部材５８および５９の動きを、変位を拡大して表示したものを図１１の実線に示す。対物レンズ駆動装置の小型化が進み、支持部材の粘弾性部材６３への接触部を大きくすることが困難になってきているので、図１１に示すように支持部材において共振が発生した時の支持部材の粘弾性部材６３との接触部での振幅量が小さく、粘弾性部材６３の振動減衰作用によって共振を低減させることが困難である。またこのような不要共振が発生すると対物レンズを駆動するための制御が不安定になる。このため、トラッキングずれなどの現象が起こり、信号の記録再生が不安定になるという課題を有していた。
本発明の目的は、支持部材の共振を低減して対物レンズを安定に駆動することができる対物レンズ駆動装置を提供することにある。
発明の開示
本発明に係る対物レンズ駆動装置は、記録媒体上に光学的に情報を記録または再生するように前記記録媒体上に光を集束させるために設けられた対物レンズと、前記対物レンズを保持するレンズホルダと、前記記録媒体の表面に垂直なフォーカシング方向と前記フォーカシング方向に垂直なトラッキング方向とに沿って前記対物レンズが移動自在になるように前記レンズホルダを支持する複数個の支持部材と、前記フォーカシング方向と前記トラッキング方向とに沿って前記レンズホルダを駆動する駆動手段と、各支持部材を保持するように形成された粘弾性部材が設けられた固定部材とを具備しており、各支持部材は、前記固定部材に設けられた前記粘弾性部材と前記レンズホルダとに接続するように線状に形成された線状部と、前記駆動手段によって前記レンズホルダが駆動されるときに発生する各支持部材の共振を低減するように各線状部の途中から分岐して形成された少なくとも１つのアーム部とを含んでいることを特徴とする。
本発明に係る他の対物レンズ駆動装置は、記録媒体上に光学的に情報を記録または再生するように前記記録媒体上に光を集束させるために設けられた対物レンズと、前記対物レンズを保持するレンズホルダと、前記記録媒体の表面に垂直なフォーカシング方向と前記フォーカシング方向に垂直なトラッキング方向とに沿って前記対物レンズが移動自在になるように前記レンズホルダを支持する複数個の支持部材と、前記フォーカシング方向と前記トラッキング方向とに沿って前記レンズホルダを駆動する駆動手段と、各支持部材を保持するために設けられた固定部材と、前記駆動手段によって前記レンズホルダが駆動されるときに発生する各支持部材の共振を低減するように各支持部材とそれぞれ接触する粘弾性部材とを具備することを特徴とする。
発明を実施するための最良の形態
本実施の形態に係る対物レンズ駆動装置においては、各支持部材は、固定部材に設けられた粘弾性部材とレンズホルダとに接続するように線状に形成された線状部と、駆動手段によってレンズホルダが駆動されるときに発生する各支持部材の共振を低減するように各線状部の途中から分岐して形成された少なくとも１つのアーム部とを含んでいる。このため、駆動手段によってレンズホルダが駆動されるときに発生する各支持部材の共振が、アーム部によって低減する。その結果、従来の構成とほぼ同じ構成によって、フォーカシング駆動およびトラッキング駆動の安定性を実現することができる。
この実施の形態では、前記アーム部は、前記固定部材に設けられた前記粘弾性部材に接続するように形成されていることが好ましい。
前記固定部材を固定するために設けられたベースをさらに具備しており、前記アーム部は、前記ベースに設けられたベース粘弾性部材に接続するように形成されていることが好ましい。
前記アーム部は、前記フォーカシング方向に対して垂直な面に沿って形成されていることが好ましい。
前記アーム部は、前記トラッキング方向に対して垂直な面に沿って形成されていることが好ましい。
前記少なくとも１つのアーム部は、２個のアーム部であり、前記２個のアーム部の一方は、前記フォーカシング方向に対して垂直な面に沿って形成されており、前記２個のアーム部の他方は、前記トラッキング方向に対して垂直な面に沿って形成されていることが好ましい。
前記アーム部は、前記支持部材の固有共振における腹部の近傍から分岐するように形成されていることが好ましい。
前記アーム部が前記線状部から分岐する位置と前記線状部の一端との間の距離Ｂは、前記線状部の全長Ｌの５分の１以上５分の４以下になっていることが好ましい。
前記アーム部が前記線状部から分岐する位置と前記線状部の一端との間の距離Ｂは、前記線状部の全長Ｌの５分の１以上２分の１以下になっていることが好ましい。
本実施の形態に係る他の対物レンズ駆動装置においては、駆動手段によってレンズホルダが駆動されるときに発生する各支持部材の共振を低減するように各支持部材とそれぞれ接触する粘弾性部材が設けられている。このため、駆動手段によってレンズホルダが駆動されるときに発生する各支持部材の共振が、粘弾性部材によって低減する。その結果、従来の構成とほぼ同じ構成によって、フォーカシング駆動およびトラッキング駆動の安定性を実現することができる。
以下、図面を参照して本発明の実施の形態を説明する。
図１は本実施の形態に係る対物レンズ駆動装置１００の構成を示す斜視図であり、図２は対物レンズ駆動装置１００に設けられた支持部材８および９と粘弾性部材１３との構成を示す平面図である。
図１を参照すると、対物レンズ駆動装置１００は、レンズホルダ２を備えている。レンズホルダ２には、対物レンズ１とフォーカシングコイル３とトラッキングコイル４とが固定されており、これらのレンズホルダ２と対物レンズ１とフォーカシングコイル３とトラッキングコイル４とは、可動部を構成する。
フォーカシングコイル３は図１に示す光軸方向に沿って構成された巻回軸を有しており、トラッキングコイル４は光軸方向及び半径方向に垂直な方向である周方向に沿って構成された巻回軸を有している。
対物レンズ駆動装置１００には、弾性体によって構成された４本の支持部材８、９、１０および１１が設けられている。各支持部材８、９、１０および１１の一端はレンズホルダ２にそれぞれ結合されており、各支持部材８、９、１０および１１の他端は固定部材５に固定されている。このようにレンズホルダ２は支持部材８、９、１０および１１によって片持ち支持されているので、支持部材８、９、１０および１１の弾性変形の範囲内において自由に動くことができる。
ベース１２に設けられたヨーク部１２ａには、マグネット６および７が固定されている。固定部材５とベース１２とマグネット６および７によって固定部を構成している。マグネット６および７は異極対向に配置されており、マグネット６および７間の空隙にはフォーカシングコイル３とトラッキングコイル４とが配置されており、それぞれフォーカシング駆動手段とトラッキング駆動手段とを構成する。
固定部材５には粘弾性部材１３が保持されており、支持部材８、９、１０および１１の固定部材側の端部近傍が粘弾性部材１３によって覆われている。
これらの構成は図９を参照して前述した従来例の対物レンズ駆動装置９０と同等である。
図１および図２を参照すると、支持部材８、９、１０および１１から平行に分岐するアーム部８ａ、９ａ、１０ａおよび１１ａがそれぞれ形成されており、その先端が粘弾性部材１３にそれぞれ接触している。
以上のように構成された対物レンズ駆動装置１００の動作を説明する。
ディスクの反りに基づく上下運動によるフォーカシングずれおよび偏心等によるトラッキングずれを補正するために、対物レンズ１を光軸方向および半径方向の２軸に沿って駆動する動作は、図９に示す従来例において説明した動作と同等である。従って、その詳細な説明は省略する。
図９に示す従来例において前述した共振が発生したとき、支持部材８、９、１０および１１における振幅の大きな部分からアーム部８ａ、９ａ、１０ａおよび１１ａが分岐しているので、アーム部８ａ、９ａ、１０ａおよび１１ａの先端部であり粘弾性部材１３に接触している部分の振幅も大きくなる。
このときの支持部材８および９ならびにアーム部８ａおよび９ａの変位を拡大したものを図３に示す。粘弾性部材１３に接触する部分の振幅が従来の構成における振幅よりも大きくなるので、粘弾性部材１３の振動減衰作用によって従来の構成よりも共振を低減することができる。
この時の半径方向（トラッキング方向）に沿った変位周波数特性は図４に示すようになり、従来例において前述した図１０に示す周波数特性に見られる不要共振はほとんどなくなる。このため、対物レンズ１を駆動するための制御の安定性を確保することができる。
以上のように本実施の形態によれば、各支持部材８、９、１０および１１は、固定部材５に設けられた粘弾性部材１３とレンズホルダ２とに接続するように線状に形成された線状部と、フォーカシング駆動手段とトラッキング駆動手段とによってレンズホルダ２が駆動されるときに発生する各支持部材８、９、１０および１１の共振を低減するように各線状部の途中から分岐して形成されたアーム部８ａ、９ａ、１０ａおよび１１ａとを含んでいる。このため、フォーカシング駆動手段とトラッキング駆動手段とによってレンズホルダ２が駆動されるときに発生する各支持部材８、９、１０および１１の共振が、アーム部８ａ、９ａ、１０ａおよび１１ａによって低減する。その結果、従来の構成とほぼ同じ構成によって、フォーカシング駆動およびトラッキング駆動の安定性を実現することができる。
なお、本実施の形態では各支持部材８、９、１０および１１から分岐するアーム部８ａ、９ａ、１０ａおよび１１ａは光軸方向に垂直な面に沿って構成されており、トラッキング方向に沿った駆動において表れる不要共振を低減する例を示した。しかしながら、本発明はこれに限定されない。半径方向に垂直な面に沿ってアーム部８ａ、９ａ、１０ａおよび１１ａを構成すると、フォーカシング方向に沿った不要共振を低減する効果を得ることができる。
また、本実施の形態では１本の支持部材から１本のアーム部が分岐する構成を示したが、１本の支持部材から光軸方向に垂直な面上および半径方向に垂直な面上に複数本のアーム部が分岐するように構成すると、フォーカシング方向およびトラッキング方向の２方向に沿って不要共振を低減することができる効果を得ることができる。
さらに、本実施の形態において、図５に示すようにアーム部の分岐する位置の寸法Ｂが支持部材８および９の線状部の寸法Ｌの５分の１以上５分の４以下の値になるように構成することが好ましい。寸法Ｂが寸法Ｌの５分の１よりも小さいと不要共振を低減する効果を十分に得ることができない。寸法Ｂが寸法Ｌの５分の４よりも大きいと、分岐したアーム部８ａ、９ａ、１０ａおよび１１ａの方で不要共振が発生する。
分岐したアーム部８ａ、９ａ、１０ａおよび１１ａにおいて発生する不要共振を考慮すると、寸法Ｂは寸法Ｌの５分の１以上２分の１以下の値になるように構成することがより好ましい。
さらに、本実施の形態では図２に示すように各支持部材８、９、１０および１１から分岐するアーム部８ａ、９ａ、１０ａおよび１１ａの幅寸法は各支持部材８、９、１０および１１の線状部と略同一であり、先端がＴ字形状である例を示したが、図６に示すように線状部よりも広い幅の形状にアーム部８ａ１および９ａ１を形成しても同等の効果を得ることができる。
さらに、本実施の形態では各支持部材８、９、１０および１１から分岐するアーム部の先端が固定部材５に保持され支持部材の先端を覆っている粘弾性部材１３に接触する構成の例を示したが、図７に示すようアーム部８および９の先端８ａ２および９ａ２をベースに保持された第２の粘弾性部材１４に接触させる構成であっても同等の効果を得ることができる。
さらに、本実施の形態では各支持部材８、９、１０および１１から分岐するアーム部の先端が粘弾性部材１３に接触する構成の例を示したが、図８に示すように支持部材８および９の固有共振の腹部近傍がベースに保持された第２の粘弾性部材１４ａに接触する構成であっても同等の効果を得ることができる。
産業上の利用可能性
以上のように本発明によれば、支持部材の共振を低減して対物レンズを安定に駆動することができる対物レンズ駆動装置を提供することができる。
【図面の簡単な説明】
図１は、実施の形態に係る対物レンズ駆動装置の構成を示す斜視図である。
図２は、実施の形態に係る対物レンズ駆動装置に設けられた支持部材と粘弾性部材との構成を示す平面図である。
図３は、実施の形態に係る対物レンズ駆動装置に設けられた支持部材の共振を説明するための模式図である。
図４は、実施の形態に係る対物レンズ駆動装置に設けられた支持部材の共振周波数とゲインとの関係を示すグラフである。
図５は、実施の形態に係る対物レンズ駆動装置の構成を示す平面図である。
図６は、実施の形態に係る他の対物レンズ駆動装置に設けられた支持部材と粘弾性部材との構成を示す平面図である。
図７は、実施の形態に係るさらに他の対物レンズ駆動装置の構成を示す平面図である。
図８は、実施の形態に係るさらに他の対物レンズ駆動装置の構成を示す平面図である。
図９は、従来の対物レンズ駆動装置の構成を示す斜視図である。
図１０は、従来の対物レンズ駆動装置に設けられた支持部材の共振周波数とゲインとの関係を示すグラフである。
図１１は、従来の対物レンズ駆動装置に設けられた支持部材の共振を説明するための模式図である。
【図１】
2003098614.tif 000003
【図２】
2003098614.tif 000004
【図３】
2003098614.tif 000005
【図４】
2003098614.tif 000006
【図５】
2003098614.tif 000007
【図６】
2003098614.tif 000008
【図７】
2003098614.tif 000009
【図８】
2003098614.tif 000010
【図９】
2003098614.tif 000011
【図１０】
2003098614.tif 000012
【図１１】
2003098614.tif 000013
【手続補正書】
【提出日】平成16年4月12日(2004.4.12)
【手続補正１】
【補正対象書類名】特許請求の範囲
【補正対象項目名】全文
【補正方法】変更
【補正の内容】
【特許請求の範囲】
【請求項１】
記録媒体上に光学的に情報を記録または再生するように前記記録媒体上に光を集束させるために設けられた対物レンズと、
前記対物レンズを保持するレンズホルダと、
前記記録媒体の表面に垂直なフォーカシング方向と前記フォーカシング方向に垂直なトラッキング方向とに沿って前記対物レンズが移動自在になるように前記レンズホルダを支持する複数個の支持部材と、
前記フォーカシング方向と前記トラッキング方向とに沿って前記レンズホルダを駆動する駆動手段と、
各支持部材を保持するように形成された粘弾性部材が設けられた固定部材とを具備しており、
各支持部材は、前記固定部材に設けられた前記粘弾性部材と前記レンズホルダとに接続するように線状に形成された線状部と、
前記駆動手段によって前記レンズホルダが駆動されるときに発生する各支持部材の共振を低減するように各線状部の途中から分岐して形成された少なくとも１つのアーム部とを含み、
前記線状部は、前記レンズホルダと前記粘弾性部材との間で一直線状に形成され、
前記アーム部は、前記線状部の一直線状となる部分から分岐し、
前記アーム部は、前記粘弾性部材によって保持されるＴ字形状の先端を有し、
前記線状部は、前記粘弾性部材によって保持される端部に形成された折り曲げ部を有することを特徴とする対物レンズ駆動装置。
【請求項２】
（削除）
【請求項３】
前記固定部材を固定するために設けられたベースをさらに具備しており、
前記アーム部は、前記ベースに設けられたベース粘弾性部材に接続するように形成されている、請求の範囲１記載の対物レンズ駆動装置。
【請求項４】
前記アーム部は、前記フォーカシング方向に対して垂直な面に沿って形成されている、請求の範囲１記載の対物レンズ駆動装置。
【請求項５】
前記アーム部は、前記トラッキング方向に対して垂直な面に沿って形成されている、請求の範囲１記載の対物レンズ駆動装置。
【請求項６】
前記少なくとも１つのアーム部は、２個のアーム部であり、
前記２個のアーム部の一方は、前記フォーカシング方向に対して垂直な面に沿って形成されており、
前記２個のアーム部の他方は、前記トラッキング方向に対して垂直な面に沿って形成されている、請求の範囲１記載の対物レンズ駆動装置。
【請求項７】
前記アーム部は、前記支持部材の固有共振における腹部の近傍から分岐するように形成されている、請求の範囲１記載の対物レンズ駆動装置。
【請求項８】
前記アーム部が前記線状部から分岐する位置と前記線状部の一端との間の距離Ｂは、前記線状部の全長Ｌの５分の１以上５分の４以下になっている、請求の範囲１記載の対物レンズ駆動装置。
【請求項９】
前記アーム部が前記線状部から分岐する位置と前記線状部の一端との間の距離Ｂは、前記線状部の全長Ｌの５分の１以上２分の１以下になっている、請求の範囲１記載の対物レンズ駆動装置。
【手続補正２】
【補正対象書類名】明細書
【補正対象項目名】０００４
【補正方法】変更
【補正の内容】
【０００４】
制御が不安定になる。このため、トラッキングずれなどの現象が起こり、信号の記録再生が不安定になるという課題を有していた。
本発明の目的は、支持部材の共振を低減して対物レンズを安定に駆動することができる対物レンズ駆動装置を提供することにある。
発明の開示
本発明に係る対物レンズ駆動装置は、記録媒体上に光学的に情報を記録または再生するように前記記録媒体上に光を集束させるために設けられた対物レンズと、前記対物レンズを保持するレンズホルダと、前記記録媒体の表面に垂直なフォーカシング方向と前記フォーカシング方向に垂直なトラッキング方向とに沿って前記対物レンズが移動自在になるように前記レンズホルダを支持する複数個の支持部材と、前記フォーカシング方向と前記トラッキング方向とに沿って前記レンズホルダを駆動する駆動手段と、各支持部材を保持するように形成された粘弾性部材が設けられた固定部材とを具備しており、各支持部材は、前記固定部材に設けられた前記粘弾性部材と前記レンズホルダとに接続するように線状に形成された線状部と、前記駆動手段によって前記レンズホルダが駆動されるときに発生する各支持部材の共振を低減するように各線状部の途中から分岐して形成された少なくとも１つのアーム部とを含み、前記線状部は、前記レンズホルダと前記粘弾性部材との間で一直線状に形成され、前記アーム部は、前記線状部の一直線状となる部分から分岐し、前記アーム部は、前記粘弾性部材によって保持されるＴ字形状の先端を有し、前記線状部は、前記粘弾性部材によって保持される端部に形成された折り曲げ部を有することを特徴とする。
図面の簡単な説明


【手続補正３】
【補正対象書類名】明細書
【補正対象項目名】０００５
【補正方法】変更
【補正の内容】
【０００５】
図１は、実施の形態に係る対物レンズ駆動装置の構成を示す斜視図である。
図２は、実施の形態に係る対物レンズ駆動装置に設けられた支持部材と粘弾性部材との構成を示す平面図である。
図３は、実施の形態に係る対物レンズ駆動装置に設けられた支持部材の共振を説明するための模式図である。
図４は、実施の形態に係る対物レンズ駆動装置に設けられた支持部材の共振周波数とゲインとの関係を示すグラフである。
図５は、実施の形態に係る対物レンズ駆動装置の構成を示す平面図である。
図６は、実施の形態に係る他の対物レンズ駆動装置に設けられた支持部材と粘弾性部材との構成を示す平面図である。
図７は、実施の形態に係るさらに他の対物レンズ駆動装置の構成を示す平面図である。
図８は、実施の形態に係るさらに他の対物レンズ駆動装置の構成を示す平面図である。
図９は、従来の対物レンズ駆動装置の構成を示す斜視図である。
図１０は、従来の対物レンズ駆動装置に設けられた支持部材の共振周波数とゲインとの関係を示すグラフである。
図１１は、従来の対物レンズ駆動装置に設けられた支持部材の共振を説明するための模式図である。
発明を実施するための最良の形態
本実施の形態に係る対物レンズ駆動装置においては、線状部は、レンズホルダと粘弾性部材との間で一直線状に形成され、アーム部は、線状部の一直線状となる部分から分岐し、アーム部は、粘弾性部材によって


【手続補正４】
【補正対象書類名】明細書
【補正対象項目名】０００６
【補正方法】変更
【補正の内容】
【０００６】
保持されるＴ字形状の先端を有し、線状部は、粘弾性部材によって保持される端部に形成された折り曲げ部を有する。粘弾性部材によって保持されるアーム部の先端をＴ字形状とし、且つ、粘弾性部材によって保持される線状部の端部に折り曲げ部を設けたので、駆動手段によってレンズホルダが駆動されるときに発生する各支持部材の共振を、粘弾性部材で保持されるＴ字形状の先端および折り曲げ部により効果的に抑制できる。また、線状部をレンズホルダと粘弾性部材との間で一直線状に形成し、この一直線状となる部分からアーム部を分岐させたので、支持部材の共振を固定部材からレンズホルダまでの全範囲に渡って低減できる。
前記固定部材を固定するために設けられたベースをさらに具備しており、前記アーム部は、前記ベースに設けられたベース粘弾性部材に接続するように形成されていることが好ましい。
前記アーム部は、前記フォーカシング方向に対して垂直な面に沿って形成されていることが好ましい。
前記アーム部は、前記トラッキング方向に対して垂直な面に沿って形成されていることが好ましい。
前記少なくとも１つのアーム部は、２個のアーム部であり、前記２個のアーム部の一方は、前記フォーカシング方向に対して垂直な面に沿って形成されており、前記２個のアーム部の他方は、前記トラッキング方向に対して垂直な面に沿って形成されていることが好ましい。
前記アーム部は、前記支持部材の固有共振における腹部の近傍から分岐するように形成されていることが好ましい。
前記アーム部が前記線状部から分岐する位置と前記線状部の一端との間の距離Ｂは、前記線状部の全長Ｌの５分の１以上５分の４以下になっていることが好ましい。
前記アーム部が前記線状部から分岐する位置と前記線状部の一端との


【手続補正５】
【補正対象書類名】明細書
【補正対象項目名】０００７
【補正方法】変更
【補正の内容】
【０００７】
間の距離Ｂは、前記線状部の全長Ｌの５分の１以上２分の１以下になっていることが好ましい。
以下、図面を参照して本発明の実施の形態を説明する。
図１は本実施の形態に係る対物レンズ駆動装置１００の構成を示す斜視図であり、図２は対物レンズ駆動装置１００に設けられた支持部材８および９と粘弾性部材１３との構成を示す平面図である。
図１を参照すると、対物レンズ駆動装置１００は、レンズホルダ２を備えている。レンズホルダ２には、対物レンズ１とフォーカシングコイル３とトラッキングコイル４とが固定されており、これらのレンズホルダ２と対物レンズ１とフォーカシングコイル３とトラッキングコイル４とは、可動部を構成する。
フォーカシングコイル３は図１に示す光軸方向に沿って構成された巻回軸を有しており、トラッキングコイル４は光軸方向及び半径方向に垂




【手続補正書】
【提出日】平成16年7月16日(2004.7.16)
【手続補正１】
【補正対象書類名】特許請求の範囲
【補正対象項目名】全文
【補正方法】変更
【補正の内容】
【特許請求の範囲】
【請求項１】
記録媒体上に光学的に情報を記録または再生するように前記記録媒体上に光を集束させるために設けられた対物レンズと、
前記対物レンズを保持するレンズホルダと、
前記記録媒体の表面に垂直なフォーカシング方向と前記フォーカシング方向に垂直なトラッキング方向とに沿って前記対物レンズが移動自在になるように前記レンズホルダを支持する複数個の支持部材と、
前記フォーカシング方向と前記トラッキング方向とに沿って前記レンズホルダを駆動する駆動手段と、
各支持部材を保持するように形成された粘弾性部材が設けられた固定部材とを具備しており、
各支持部材は、前記固定部材に設けられた前記粘弾性部材と前記レンズホルダとに接続するように線状に形成された線状部と、
前記駆動手段によって前記レンズホルダが駆動されるときに発生する各支持部材の共振を低減するように各線状部の途中から分岐して形成された少なくとも１つのアーム部とを含み、
前記線状部は、前記レンズホルダと前記粘弾性部材との間で一直線状に形成され、
前記アーム部は、前記線状部の一直線状となる部分から分岐し、
前記アーム部は、前記粘弾性部材によって保持されるＴ字形状の先端を有し、
前記線状部は、前記粘弾性部材によって保持される端部に形成された折り曲げ部を有することを特徴とする対物レンズ駆動装置。
【請求項２】
前記固定部材を固定するために設けられたベースをさらに具備しており、
前記アーム部は、前記ベースに設けられたベース粘弾性部材に接続するように形成されている、請求項１記載の対物レンズ駆動装置。
【請求項３】
前記アーム部は、前記フォーカシング方向に対して垂直な面に沿って形成されている、請求項１記載の対物レンズ駆動装置。
【請求項４】
前記アーム部は、前記トラッキング方向に対して垂直な面に沿って形成されている、請求項１記載の対物レンズ駆動装置。
【請求項５】
前記少なくとも１つのアーム部は、２個のアーム部であり、
前記２個のアーム部の一方は、前記フォーカシング方向に対して垂直な面に沿って形成されており、
前記２個のアーム部の他方は、前記トラッキング方向に対して垂直な面に沿って形成されている、請求項１記載の対物レンズ駆動装置。
【請求項６】
前記アーム部は、前記支持部材の固有共振における腹部の近傍から分岐するように形成されている、請求項１記載の対物レンズ駆動装置。
【請求項７】
前記アーム部が前記線状部から分岐する位置と前記線状部の一端との間の距離Ｂは、前記線状部の全長Ｌの５分の１以上５分の４以下になっている、請求項１記載の対物レンズ駆動装置。
【請求項８】
前記アーム部が前記線状部から分岐する位置と前記線状部の一端との間の距離Ｂは、前記線状部の全長Ｌの５分の１以上２分の１以下になっている、請求項１記載の対物レンズ駆動装置。
【手続補正２】
【補正対象書類名】明細書
【補正対象項目名】全文
【補正方法】変更
【補正の内容】
【発明の詳細な説明】
【技術分野】
【０００１】
本発明は、記録媒体に光学的に情報を記録もしくは再生する装置に設けられる対物レンズ駆動装置に関する。
【背景技術】
【０００２】
対物レンズ駆動装置は、円盤状記録媒体（以下、ディスクと称する）の反りに基づく上下運動によるフォーカシングずれ、およびディスクの偏心等によるトラッキングずれを補正するために、記録媒体面に対して垂直な方向の光軸方向（フォーカシング方向）および記録媒体面に対して平行な方向の半径方向（トラッキング方向）の２軸に沿って対物レンズを駆動し、光学的に情報をディスクに記録あるいは再生する。
【０００３】
以下図面を参照しながら、上記した従来の対物レンズ駆動装置の一例を説明する。図９は、従来の対物レンズ駆動装置９０の構成を示す斜視図である。対物レンズ駆動装置９０は、レンズホルダ５２を備えている。レンズホルダ５２には、対物レンズ５１とフォーカシングコイル５３とトラッキングコイル５４とが固定されており、これらのレンズホルダ５２と対物レンズ５１とフォーカシングコイル５３とトラッキングコイル５４とは、可動部を構成する。
【０００４】
フォーカシングコイル５３は、図９に示す対物レンズ５１の光軸方向に沿って構成された巻回軸を有している。トラッキングコイル５４は、図９に示す光軸方向およびディスクの半径方向に垂直な方向である周方向に沿って構成された巻回軸を有している。
【０００５】
対物レンズ駆動装置９０には、りん青銅の薄板などの弾性体によって形成された４本の支持部材５８、５９、６０および６１が設けられている。各支持部材５８、５９、６０および６１の一端はレンズホルダ５２に結合されており、他端は固定部材５５に固定されている。
【０００６】
このようにレンズホルダ５２は支持部材５８、５９、６０および６１によって片持ち支持されているので、支持部材５８、５９、６０および６１の弾性変形の範囲内において自由に動くことができる。
【０００７】
ベース６２に設けられたヨーク部６２ａには、マグネット５６および５７が固定されている。マグネット５６および５７は異極対向に配置され、マグネット５６および５７間の空隙には、フォーカシングコイル５３とトラッキングコイル５４とが配置され、それぞれフォーカシング駆動手段とトラッキング駆動手段とを構成している。
【０００８】
固定部材５５には粘弾性部材６３が保持されており、支持部材５８、５９、６０および６１の固定部材５５側の端部付近が粘弾性部材６３によって覆われている。
【０００９】
以上のように構成された対物レンズ駆動装置９０の動作を説明する。ディスクの反りに基づく上下運動によるフォーカシングずれおよび偏心等によるトラッキングずれを補正するために、対物レンズ５１を光軸方向および半径方向の２軸に沿って駆動する対物レンズ駆動装置９０の動作を述べる。
【００１０】
図９を参照すると、マグネット５６および５７によりその間の空隙に周方向に沿って磁束が発生し、フォーカシングコイル５３に電流を流すとこの磁束と交差するフォーカシングコイル５３に光軸方向に沿って力が作用する。フォーカシングコイル５３に作用する力によって支持部材５８〜６１がたわむことにより可動部が略光軸方向に沿って並進運動する。
【００１１】
同様に、トラッキングコイル５４に電流を流すと磁束と交差するトラッキングコイル５４に半径方向に沿った力が作用する。トラッキングコイル５４に作用する力によって支持部材５８、５９、６０および６１がたわむことにより、レンズホルダ５２と対物レンズ５１とフォーカシングコイル５３とトラッキングコイル５４とによって構成される可動部が略半径方向に沿って並進運動する。
【００１２】
このように対物レンズ駆動装置９０は弾性体によって形成された支持部材５８、５９、６０および６１の先端に可動部が固定され、片持ち支持された構成であるため、フォーカシング駆動手段およびトラッキング駆動手段によって可動部が駆動されるときに様々な共振が発生する。
【００１３】
この共振を低減させるために固定部材５５には粘弾性部材６３が保持されており、支持部材５８、５９、６０および６１の固定部材５５側の端部の近傍をこの粘弾性部材６３に接触させ、共振時における支持部材５８、５９、６０および６１の振動が粘弾性部材６３に伝わり、粘弾性部材６３の振動減衰作用によって共振を低減させている。
【発明の開示】
【発明が解決しようとする課題】
【００１４】
しかし、半径方向（トラッキング方向）に沿って可動部が駆動される時の変位周波数特性においては、図１０に示すように、可動部の振動周波数３キロヘルツ（ｋＨｚ）〜４キロヘルツ（ｋＨｚ）付近において不要共振が発生する。
【００１５】
この共振時における支持部材５８および５９の動きを、変位を拡大して表示したものを図１１の実線に示す。対物レンズ駆動装置の小型化が進み、支持部材の粘弾性部材６３への接触部を大きくすることが困難になってきているので、図１１に示すように支持部材において共振が発生した時の支持部材の粘弾性部材６３との接触部での振幅量が小さく、粘弾性部材６３の振動減衰作用によって共振を低減させることが困難である。またこのような不要共振が発生すると対物レンズを駆動するための制御が不安定になる。このため、トラッキングずれなどの現象が起こり、信号の記録再生が不安定になるという課題を有していた。
【００１６】
本発明の目的は、支持部材の共振を低減して対物レンズを安定に駆動することができる対物レンズ駆動装置を提供することにある。
【課題を解決するための手段】
【００１７】
本発明に係る対物レンズ駆動装置は、記録媒体上に光学的に情報を記録または再生するように前記記録媒体上に光を集束させるために設けられた対物レンズと、前記対物レンズを保持するレンズホルダと、前記記録媒体の表面に垂直なフォーカシング方向と前記フォーカシング方向に垂直なトラッキング方向とに沿って前記対物レンズが移動自在になるように前記レンズホルダを支持する複数個の支持部材と、前記フォーカシング方向と前記トラッキング方向とに沿って前記レンズホルダを駆動する駆動手段と、各支持部材を保持するように形成された粘弾性部材が設けられた固定部材とを具備しており、各支持部材は、前記固定部材に設けられた前記粘弾性部材と前記レンズホルダとに接続するように線状に形成された線状部と、前記駆動手段によって前記レンズホルダが駆動されるときに発生する各支持部材の共振を低減するように各線状部の途中から分岐して形成された少なくとも１つのアーム部とを含み、前記線状部は、前記レンズホルダと前記粘弾性部材との間で一直線状に形成され、前記アーム部は、前記線状部の一直線状となる部分から分岐し、前記アーム部は、前記粘弾性部材によって保持されるＴ字形状の先端を有し、前記線状部は、前記粘弾性部材によって保持される端部に形成された折り曲げ部を有することを特徴とする。
【発明の効果】
【００１８】
本実施の形態に係る対物レンズ駆動装置においては、線状部は、レンズホルダと粘弾性部材との間で一直線状に形成され、アーム部は、線状部の一直線状となる部分から分岐し、アーム部は、粘弾性部材によって保持されるＴ字形状の先端を有し、線状部は、粘弾性部材によって保持される端部に形成された折り曲げ部を有する。粘弾性部材によって保持されるアーム部の先端をＴ字形状とし、且つ、粘弾性部材によって保持される線状部の端部に折り曲げ部を設けたので、駆動手段によってレンズホルダが駆動されるときに発生する各支持部材の共振を、粘弾性部材で保持されるＴ字形状の先端および折り曲げ部により効果的に抑制できる。また、線状部をレンズホルダと粘弾性部材との間で一直線状に形成し、この一直線状となる部分からアーム部を分岐させたので、支持部材の共振を固定部材からレンズホルダまでの全範囲に渡って低減できる。
【発明を実施するための最良の形態】
【００１９】
前記固定部材を固定するために設けられたベースをさらに具備しており、前記アーム部は、前記ベースに設けられたベース粘弾性部材に接続するように形成されていることが好ましい。
【００２０】
前記アーム部は、前記フォーカシング方向に対して垂直な面に沿って形成されていることが好ましい。
【００２１】
前記アーム部は、前記トラッキング方向に対して垂直な面に沿って形成されていることが好ましい。
【００２２】
前記少なくとも１つのアーム部は、２個のアーム部であり、前記２個のアーム部の一方は、前記フォーカシング方向に対して垂直な面に沿って形成されており、前記２個のアーム部の他方は、前記トラッキング方向に対して垂直な面に沿って形成されていることが好ましい。
【００２３】
前記アーム部は、前記支持部材の固有共振における腹部の近傍から分岐するように形成されていることが好ましい。
【００２４】
前記アーム部が前記線状部から分岐する位置と前記線状部の一端との間の距離Ｂは、前記線状部の全長Ｌの５分の１以上５分の４以下になっていることが好ましい。
【００２５】
前記アーム部が前記線状部から分岐する位置と前記線状部の一端との間の距離Ｂは、前記線状部の全長Ｌの５分の１以上２分の１以下になっていることが好ましい。
【００２６】
以下、図面を参照して本発明の実施の形態を説明する。
【００２７】
図１は本実施の形態に係る対物レンズ駆動装置１００の構成を示す斜視図であり、図２は対物レンズ駆動装置１００に設けられた支持部材８および９と粘弾性部材１３との構成を示す平面図である。
【００２８】
図１を参照すると、対物レンズ駆動装置１００は、レンズホルダ２を備えている。レンズホルダ２には、対物レンズ１とフォーカシングコイル３とトラッキングコイル４とが固定されており、これらのレンズホルダ２と対物レンズ１とフォーカシングコイル３とトラッキングコイル４とは、可動部を構成する。
【００２９】
フォーカシングコイル３は図１に示す光軸方向に沿って構成された巻回軸を有しており、トラッキングコイル４は光軸方向及び半径方向に垂直な方向である周方向に沿って構成された巻回軸を有している。
【００３０】
対物レンズ駆動装置１００には、弾性体によって構成された４本の支持部材８、９、１０および１１が設けられている。各支持部材８、９、１０および１１の一端はレンズホルダ２にそれぞれ結合されており、各支持部材８、９、１０および１１の他端は固定部材５に固定されている。このようにレンズホルダ２は支持部材８、９、１０および１１によって片持ち支持されているので、支持部材８、９、１０および１１の弾性変形の範囲内において自由に動くことができる。
【００３１】
ベース１２に設けられたヨーク部１２ａには、マグネット６および７が固定されている。固定部材５とベース１２とマグネット６および７によって固定部を構成している。マグネット６および７は異極対向に配置されており、マグネット６および７間の空隙にはフォーカシングコイル３とトラッキングコイル４とが配置されており、それぞれフォーカシング駆動手段とトラッキング駆動手段とを構成する。
【００３２】
固定部材５には粘弾性部材１３が保持されており、支持部材８、９、１０および１１の固定部材側の端部近傍が粘弾性部材１３によって覆われている。
【００３３】
これらの構成は図９を参照して前述した従来例の対物レンズ駆動装置９０と同等である。
【００３４】
図１および図２を参照すると、支持部材８、９、１０および１１から平行に分岐するアーム部８ａ、９ａ、１０ａおよび１１ａがそれぞれ形成されており、その先端が粘弾性部材１３にそれぞれ接触している。
【００３５】
以上のように構成された対物レンズ駆動装置１００の動作を説明する。
【００３６】
ディスクの反りに基づく上下運動によるフォーカシングずれおよび偏心等によるトラッキングずれを補正するために、対物レンズ１を光軸方向および半径方向の２軸に沿って駆動する動作は、図９に示す従来例において説明した動作と同等である。従って、その詳細な説明は省略する。
【００３７】
図９に示す従来例において前述した共振が発生したとき、支持部材８、９、１０および１１における振幅の大きな部分からアーム部８ａ、９ａ、１０ａおよび１１ａが分岐しているので、アーム部８ａ、９ａ、１０ａおよび１１ａの先端部であり粘弾性部材１３に接触している部分の振幅も大きくなる。
【００３８】
このときの支持部材８および９ならびにアーム部８ａおよび９ａの変位を拡大したものを図３に示す。粘弾性部材１３に接触する部分の振幅が従来の構成における振幅よりも大きくなるので、粘弾性部材１３の振動減衰作用によって従来の構成よりも共振を低減することができる。
【００３９】
この時の半径方向（トラッキング方向）に沿った変位周波数特性は図４に示すようになり、従来例において前述した図１０に示す周波数特性に見られる不要共振はほとんどなくなる。このため、対物レンズ１を駆動するための制御の安定性を確保することができる。
【００４０】
以上のように本実施の形態によれば、各支持部材８、９、１０および１１は、固定部材５に設けられた粘弾性部材１３とレンズホルダ２とに接続するように線状に形成された線状部と、フォーカシング駆動手段とトラッキング駆動手段とによってレンズホルダ２が駆動されるときに発生する各支持部材８、９、１０および１１の共振を低減するように各線状部の途中から分岐して形成されたアーム部８ａ、９ａ、１０ａおよび１１ａとを含んでいる。このため、フォーカシング駆動手段とトラッキング駆動手段とによってレンズホルダ２が駆動されるときに発生する各支持部材８、９、１０および１１の共振が、アーム部８ａ、９ａ、１０ａおよび１１ａによって低減する。その結果、従来の構成とほぼ同じ構成によって、フォーカシング駆動およびトラッキング駆動の安定性を実現することができる。
【００４１】
なお、本実施の形態では各支持部材８、９、１０および１１から分岐するアーム部８ａ、９ａ、１０ａおよび１１ａは光軸方向に垂直な面に沿って構成されており、トラッキング方向に沿った駆動において表れる不要共振を低減する例を示した。しかしながら、本発明はこれに限定されない。半径方向に垂直な面に沿ってアーム部８ａ、９ａ、１０ａおよび１１ａを構成すると、フォーカシング方向に沿った不要共振を低減する効果を得ることができる。
【００４２】
また、本実施の形態では１本の支持部材から１本のアーム部が分岐する構成を示したが、１本の支持部材から光軸方向に垂直な面上および半径方向に垂直な面上に複数本のアーム部が分岐するように構成すると、フォーカシング方向およびトラッキング方向の２方向に沿って不要共振を低減することができる効果を得ることができる。
【００４３】
さらに、本実施の形態において、図５に示すようにアーム部の分岐する位置の寸法Ｂが支持部材８および９の線状部の寸法Ｌの５分の１以上５分の４以下の値になるように構成することが好ましい。寸法Ｂが寸法Ｌの５分の１よりも小さいと不要共振を低減する効果を十分に得ることができない。寸法Ｂが寸法Ｌの５分の４よりも大きいと、分岐したアーム部８ａ、９ａ、１０ａおよび１１ａの方で不要共振が発生する。
【００４４】
分岐したアーム部８ａ、９ａ、１０ａおよび１１ａにおいて発生する不要共振を考慮すると、寸法Ｂは寸法Ｌの５分の１以上２分の１以下の値になるように構成することがより好ましい。
【００４５】
さらに、本実施の形態では図２に示すように各支持部材８、９、１０および１１から分岐するアーム部８ａ、９ａ、１０ａおよび１１ａの幅寸法は各支持部材８、９、１０および１１の線状部と略同一であり、先端がT字形状である例を示したが、図６に示すように線状部よりも広い幅の形状にアーム部８ａ１および９ａ１を形成しても同等の効果を得ることができる。
【００４６】
さらに、本実施の形態では各支持部材８、９、１０および１１から分岐するアーム部の先端が固定部材５に保持され支持部材の先端を覆っている粘弾性部材１３に接触する構成の例を示したが、図７に示すようアーム部８および９の先端８ａ２および９ａ２をベースに保持された第２の粘弾性部材１４に接触させる構成であっても同等の効果を得ることができる。
【００４７】
さらに、本実施の形態では各支持部材８、９、１０および１１から分岐するアーム部の先端が粘弾性部材１３に接触する構成の例を示したが、図８に示すように支持部材８および９の固有共振の腹部近傍がベースに保持された第２の粘弾性部材１４ａに接触する構成であっても同等の効果を得ることができる。
【産業上の利用可能性】
【００４８】
以上のように本発明によれば、支持部材の共振を低減して対物レンズを安定に駆動することができる対物レンズ駆動装置を提供することができる。
【図面の簡単な説明】
【００４９】
【図１】図１は、実施の形態に係る対物レンズ駆動装置の構成を示す斜視図である。
【図２】図２は、実施の形態に係る対物レンズ駆動装置に設けられた支持部材と粘弾性部材との構成を示す平面図である。
【図３】図３は、実施の形態に係る対物レンズ駆動装置に設けられた支持部材の共振を説明するための模式図である。
【図４】図４は、実施の形態に係る対物レンズ駆動装置に設けられた支持部材の共振周波数とゲインとの関係を示すグラフである。
【図５】図５は、実施の形態に係る対物レンズ駆動装置の構成を示す平面図である。
【図６】図６は、実施の形態に係る他の対物レンズ駆動装置に設けられた支持部材と粘弾性部材との構成を示す平面図である。
【図７】図７は、実施の形態に係るさらに他の対物レンズ駆動装置の構成を示す平面図である。
【図８】図８は、実施の形態に係るさらに他の対物レンズ駆動装置の構成を示す平面図である。
【図９】図９は、従来の対物レンズ駆動装置の構成を示す斜視図である。
【図１０】図１０は、従来の対物レンズ駆動装置に設けられた支持部材の共振周波数とゲインとの関係を示すグラフである。
【図１１】図１１は、従来の対物レンズ駆動装置に設けられた支持部材の共振を説明するための模式図である。
【国際調査報告】
2003098614.tif 000014
2003098614.tif 000015
2003098614.tif 000016
2003098614.tif 000017